【事件の表示】
　特許第３１４３５８７号「混合器機能付き通信用保安器」の請求項１ないし４に係る特許に対する特許異議の申立てについて、次のとおり決定する。
【結　論】
　訂正を認める。
　特許第３１４３５８７号の請求項１ないし３に係る特許を維持する。
【理　由】
１．手続の経緯
　本件特許第３１４３５８７号に係る発明は、平成８年５月２９日に出願され、平成１２年１２月２２日に設定登録（請求項の数４）がなされ、その後特許異議申立人から異議の申立てがなされ、取消理由通知がなされ、その指定期間内である平成１３年１２月１７日に訂正請求がなされたものである。
　
　
２．訂正の適否についての判断
（１）訂正の内容
　特許権者が平成１３年１２月１７日付け訂正請求により求めている訂正の内容は、以下の訂正事項ａないしｅのとおりである。
　
ア．訂正事項ａ
　特許請求の範囲の請求項１ないし４を、
「【請求項１】第１の入力側端子と出力側端子との間に設けられた第１のフィル夕回路と、第２の入力側端子と上記出力側端子との間に設けられた第２のフィル夕回路と、上記第１の入力側端子と上記出力側端子との間、又は上記第２の入力側端子と上記出力側端子との間の少なくとも一方に設けられた避雷回路とからなり、
 上記第１のフィル夕回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続されることを特徴とする混合器機能付き通信用保安器。
【請求項２】上記第１の入力側端子と出力側端子との間又は第２の入力側端子と出力側端子との間の少なくとも一方に、上記出力側端子からの電源供給を可能にする電流通過回路を備えたことを特徴とする請求項１記載の混合器機能付き通信用保安器。
【請求項３】上記第２の入力側端子と上記出力側端子をコンデンサを介して接地したことを特徴とする請求項１又は２記載の混合器機能付き通信用保安器。」とする訂正
　
イ．訂正事項ｂ
　明細書２頁２８行ないし３頁４行の記載を、
「上記課題を解決するため本発明の混合器機能付き通信用保安器は、第１の入力側端子と出力側端子との間に設けられた第１のフィル夕回路と、第２の入力側端子と上記出力側端子との間に設けられた第２のフィル夕回路と、上記第１の入力側端子と上記出力側端子との間、又は上記第２の入力側端子と上記出力側端子との間の少なくとも一方に設けられた避雷回路とからなり、上記第１のフィル夕回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィル夕回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続されることを特徴として構成されている。」とする訂正
　
ウ．訂正事項ｃ
　明細書３頁１５行ないし１７行の記載を削除する訂正
　
エ．訂正事項ｄ
　明細書８頁２９行ないし９頁６行の記載を、
「以上の如く本発明は、第１の入力側端子と出力側端子との間に設けられた第１のフィル夕回路と、第２の入力側端子と上記出力側端子との間に設けられた第２のフィル夕回路と、上記第１の入力側端子と上記出力側端子との間、又は上記第２の入力側端子と上記出力側端子との間の少なくとも一方に設けられた避雷回路とで保安器を構成することにより、混合器と保安器とを別途取り付ける必要がなくなり、設置作業が容易になると共に、混合器と保安器とを設置するスペースが確保できない環境においても、これを設置することができるという効果がある。また、第１のフィル夕回路及び第２のフィル夕回路をそれぞれユニット化し挿入機構により取り外し可能としたことにより、該保安器が使用される受信システムに合わせて、該フィル夕を容易に交換することができ、また故障等の際の部品交換も容易となるという効果がある。」とする訂正
　
オ．訂正事項ｅ
 明細書９頁１７行ないし２０行の記載を削除する訂正
　
（２）訂正の目的の適否、新規事項の有無、及び特許請求の範囲の拡張・変更の存否
（訂正事項ａについて）
　上記訂正事項ａは、訂正前の請求項１において、「第１のフィルタ回路」と「第２のフィルタ回路」に関し、明細書及び図面の記載に基づき「上記第１のフィル夕回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続される」という限定を加え、訂正前の請求項４については削除する訂正である。したがって、特許請求の範囲の減縮を目的とした明細書の訂正に該当し、新規事項の追加に該当せず、実質的に特許請求の範囲を拡張し又は変更するものでもない。
　
（訂正事項ｂないしｅについて）
　上記訂正事項ｂないしｅは、特許請求の範囲の記載との整合をとるための訂正であり、明りょうでない記載の釈明を目的とした明細書の訂正に該当し、新規事項の追加に該当せず、実質的に特許請求の範囲を拡張し又は変更するものでもない。
　
（３）むすび
　以上、上記訂正は、特許法第１２０条の４第２項ただし書き、及び同条第３項において準用する第１２６条第２項及び第３項の規定に適合するものであるから、上記訂正を認める。
　
　
３．特許異議の申立てについての判断
（１）申立て理由の概要
　申立人デイエツクスアンテナ株式会社は、甲第１号証（特開平９−２７１００９号公報）、甲第２号証（実願昭６０−８８４３４号のマイクロフィルム）及び甲第３号証（特開昭５９−７００１０号公報）を提出し、請求項１ないし４に係る発明は、特許法第２９条の２の規定により特許を受けることができないものであるから、特許を取り消すべき旨主張している。
　
（２）本件発明
　上記２．で示したように上記訂正が認められるから、本件の請求項１ないし３に係る発明は、上記訂正に係る訂正明細書の特許請求の範囲の請求項１ないし３に記載された事項により特定されるとおりのもの（以下「本件発明１ないし３」という。）である。（上記２．（１）ア．訂正事項ａ参照）
　
（３）先願発明、引用刊行物
　特許異議申立人が証拠として提示した先願発明（特願平８−１０４２４１号（特開平９−２７１００９号））の願書に最初に添付した明細書又は図面には、以下のような発明が記載されている。
ａ．「【００２８】即ち、この混合器付保安器１は、伝送路２と接続され、上記ＣＡＴＶ信号が入力されるＣＡＴＶ信号入力端子１１と、同軸ケーブル５ａを介してＢＳアンテナ（コンバータ）５と接続され、上記ＢＳアンテナ（コンバータ）５から出力されるＢＳ−ＩＦ信号が入力されるＢＳ−ＩＦ信号入力端子１２を有している。これらの入力端子１１及び１２から入力されたＣＡＴＶ信号及びＢＳ−ＩＦ信号は、それぞれ低周波阻止コンデンサ１３及び１４を介して混合回路１５に入力される。
【００２９】混合回路１５は、入力された上記ＣＡＴＶ信号及びＢＳ−ＩＦ信号を混合するもので、その際、これらの信号が互いに干渉し合わないように混合させる。即ち、この混合回路１５内には、それぞれ通過帯域の異なる２つのフィルタ、例えばローパスフィルタとハイパスフィルタとが設けられており、上記ＣＡＴＶ信号についてはローパスフィルタを通過させ、またＢＳ−ＩＦ信号についてはハイパスフィルタを通過させた後、これらを混合させる。・・・・・（中略）・・・・・・
【００３１】上記混合回路１５において混合された信号は、低周波阻止コンデンサ１６を介して出力端子１７に出力される。なお、この出力端子１７に、上述した同軸ケーブル６が接続され、これによりＣＡＴＶ信号とＢＳ−ＩＦ信号との混合信号が宅内に引き込まれる。」（５頁７欄２行ないし３９行）
　
ｂ．「【００３５】更に、ＣＡＴＶ信号入力端子１１は、避雷手段、例えばアレスタ（避雷器）２０を介して接地されている。これにより、例えば伝送路２に落雷等によるサージ電圧が発生しても、このサージ電圧やインパルスは、大地へ放電され、出力端子１７側へ流通するのを阻止することができ、ひいては上記サージ電圧やインパルスの宅内への侵入を阻止することができる。」（５頁８欄２７行ないし３３行）
　
ｃ．「【００４７】更に、混合器付保安器１の出力端子１７とＢＳ−ＩＦ信号入力端子１２とを接続している通電線路１８（及び低周波通過フィルタ１９）を取り外すと共に、混合回路１５内のフィルタの通過周波数帯域を変更することにより、ＣＡＴＶ信号と、上記ＢＳ−ＩＦ信号及びＣＳ−ＩＦ信号以外のテレビ放送信号、例えばＶＨＦやＵＨＦ地上波信号とを、混合させることもできる。」（６頁１０欄３８行ないし４４行）
　
　また、特許異議申立人が証拠として提示した刊行物には、それぞれ以下のような技術が開示されている。
　
ｄ．実願昭６０−８８４３４号（実開昭６１−２０６３３６号）のマイクロフィルム（以下「刊行物１」という。）には、その明細書５頁９行ないし１９行の記載から、「通信用保安器において、第１、第２のフィルタを単一のパッケージに収納し、着脱自在に構成する技術」が記載されている。
　
ｅ．特開昭５９−７００１０号公報（以下「刊行物２」という。）には、その１頁右下欄１２行ないし２頁右下欄１２行の記載から、「複数のテレビ信号を増幅し混合して出力する受信増幅器において、入力側及び出力側のフィルタを着脱自在に構成する技術」が記載されている。
　
（４）対比・判断
（本件発明１について）
　本件発明１と先願発明とを対比すると、上記（３）ａ．の記載から明らかなように先願発明における混合回路は通過帯域の異なる２つのフィルタである「ローパスフィルタ」と「ハイパスフィルタ」を有しているから、先願発明における「ＣＡＴＶ信号入力端子１１」「出力端子１７」「ローパスフィルタ」「ＢＳ−ＩＦ信号入力端子１２」「ハイパスフィルタ」「アレスタ２０」が、本件発明１における「第１の入力側端子」「出力側端子」「第１のフィルタ回路」「第２の入力側端子」「第２のフィルタ回路」「避雷回路」にそれぞれ相当する。
　したがって、両発明は「第１の入力側端子と出力側端子との間に設けられた第１のフィル夕回路と、第２の入力側端子と上記出力側端子との間に設けられた第２のフィル夕回路と、上記第１の入力側端子と上記出力側端子との間、又は上記第２の入力側端子と上記出力側端子との間の少なくとも一方に設けられた避雷回路とからなる混合器機能付き通信用保安器」である点で一致し、以下の点で両発明は相違する。
　本件発明１は、先願発明の具備しない「第１のフィルタ回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続される」構成を有する点（相違点）。
　
　上記相違点について検討する。
　上記刊行物１及び２には、フィルタを着脱自在にする技術について記載されているが、これらは本件発明１のように混合器機能付き保安器に関するものではないから（上記（３）ｄ．及び（３）ｅ．参照）、上記刊行物１及び２の記載をもって、混合器機能付き保安器において「第１のフィルタ回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続される」構成が周知慣用の技術であるということもできない。
　また、先願発明の願書に最初に添付された明細書には上記（３）ｃ．の記載があり、当該記載はフィルタの通過周波数帯域を変更する点について示唆されているものの、フィルタをフィルタユニットとして構成し、挿入機構によって着脱自在に接続する旨の示唆をするものではないし、本件発明１は、このような構成により、混合器機能付き保安器において「使用される受信システムに合わせて、該フィルタを容易に交換することができ、また故障等の際の部品交換も容易となる」という先願発明にはない効果を奏するものである。
　したがって、上記相違点は当業者にとって単なる設計事項ともいえず、本件発明１と先願発明とは実質的に同一であるとはいえない。
　
（本件発明２及び３について）
　本件発明２及び３は、本件発明１をさらに限定したものである。そして、上記検討のように、本件発明１は先願発明と実質的に同一ではない。したがって、本件発明２及び３についても先願発明とは実質的に同一であるということはできない。
　
（４）むすび
　以上のとおりであるから、特許異議申立ての理由及び証拠によっては本件請求項１ないし３に係る特許を取り消すことはできない。
　また、他に本件請求項１ないし３に係る特許を取り消すべき理由を発見しない。
　よって、結論のとおり決定する。
【異議決定日】
平成１４年１月１６日（２００２．１．１６）
【訂正の要旨】
　訂正の要旨
　ａ．特許請求の範囲の請求項１〜４
「請求項１：
　第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とからなることを特徴とする混合器機能付き通信用保安器。
請求項２：
　上記第１の入力側端子と出力側端子との間又は第２の入力側端子と出力側端子との間の少なくとも一方に、上記出力側端子からの電源供給を可能にする電流通過回路を備えたことを特徴とする請求項１記載の混合器機能付き通信用保安器。
請求項３：
　上記第２の入力側端子と上記出力側端子をコンデンサを介して接地したことを特徴とする請求項１又は２記載の混合器機能付き通信用保安器。
請求項４：
　上記第１のフィルタ回路及び上記第２のフィルタ回路をそれぞれユニット化し取り外し可能としたことを特徴とする請求項１、２又は３記載の混合器機能付き通信用保安器。」を、
「請求項１：
　第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とからな
り、
　上記第１のフィルタ回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続され
請求項２：
　上記第１の入力側端子と出力側端子との間又は第２の入力側端子と出力側端子との間の少なくとも一方に、上記出力側端子からの電源供給を可能にする電流通過回路を備えたことを特徴とする請求項１記載の混合器機能付き通信用保安器。
請求項３：
　上記第２の入力側端子と上記出力側端子をコンデンサを介して接地したことを特徴とする請求項１又は２記載の混合器機能付き通信用保安器。
」と訂正する。
　これに伴い、特許請求の範囲の記載と発明の詳細な説明との整合をとるため、明細書第２頁第２８行〜第３頁第４行「上記課題を解決するため本発明の混合器機能付き通信用保安器は、第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とからなることを特徴として構成されている。」を、
「上記課題を解決するため本発明の混合器機能付き通信用保安器は、第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とからな
り、上記第１のフィルタ回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続され
　また、明細書第３頁第１５行〜第１７行「さらにまた、請求項４記載の本発明は、請求項１、２又は３記載の発明において、上記第１のフィルタ回路及び上記第２のフィルタ回路をそれぞれユニット化し取り外し可能としたことを特徴として構成されている。」を、削除する。
ｂ．明細書第８頁第２９行〜第９頁第６行「以上の如く本発明は、第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とで保安器を構成することにより、混合器と保安器とを別途取り付ける必要がなくなり、設置作業が容易になると共に、混合器と保安器とを設置するスペースが確保できない環境においても、これを設置することができるという効果がある。」を、
「以上の如く本発明は、第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とで保安器を構成することにより、混合器と保安器とを別途取り付ける必要がなくなり、設置作業が容易になると共に、混合器と保安器とを設置するスペースが確保できない環境においても、これを設置することができるという効果がある。
　
また、第１のフィルタ回路及び第２のフィルタ回路をそれぞれユニット化し挿入機構により取り外し可能としたことにより、該保安器が使用される受信システムに合わせて、該フィルタを容易に交換することができ、また故障等の際の部品交換も容易となるという効果がある。
　また、明細書第９頁第１７行〜第２０行「さらに、第１のフィルタ回路及び第２のフィルタ回路をそれぞれユニット化し取り外し可能としたことにより、該保安器が使用される受信システムに合わせて、該フィルタを容易に交換することができ、また故障等の際の部品交換も容易となるという効果がある。」を、削除する。
（５４）【発明の名称】
混合器機能付き通信用保安器
（５７）【特許請求の範囲】
　【請求項１】　第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とからな
り、
　上記第１のフィルタ回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記単力側端子との間を繋ぐ線路に設けられた接続端子に挿入機構により着脱自在に接続され
　【請求項２】　上記第１の入力側端子と出力側端子との間又は第２の入力側端子と出力側端子との間の少なくとも一方に、上記出力側端子からの電源供給を可能にする電流通過回路を備えたことを特徴とする請求項１記載の混合器機能付き通信用保安器。
　【請求項３】　上記第２の入力側端子と上記出力側端子をコンデンサを介して接地したことを特徴とする請求項１又は２記載の混合器機能付き通信用保安器。
【発明の詳細な説明】
　【０００１】
　【発明の属する技術分野】
　本発明は、無線通信、電話あるいはＣＡＴＶ等の有線通信における受信設備に関し、特に複数の受信設備からの信号を混合して端末器側に送り出す混合器機能付き通信用保安器に関する。
　【０００２】
　【従来の技術】
　近年の通信技術の発達、通信サービスの普及により、各家庭内へ設置される通信端末（例えば、電話、テレビ又はパーソナルコンピュータ等）に対する通信方法が多様化している。例えば、テレビジョン放送の配信においては、従来からのＶＨＦ及びＵＨＦの無線通信に加え、静止衛星を利用した衛星通信やＣＡＴＶが普及し、一つのテレビジョンに対する複数の通信方法による映像配信が可能である。
　【０００３】
　このような場合、一つの通信端末を複数の受信設備、すなわち無線通信における受信アンテナや有線通信における幹線ケーブルから分岐された引き込み線路に接続するために、混合器が設置される。この混合器は、複数の受信設備によりそれぞれ受信される信号のうち必要な周波数帯域の信号のみを通過させるフィルタを備えており、一つの出力端子から通信端末側に干渉なくこれらの信号を出力するものである。
　【０００４】
　一方、一般に上記受信アンテナや引き込み線路と上記混合器との間には、通信用保安器が設置されている。通信用保安器は、落雷等によるサージ電圧や漏電を防いで通信端末を保護するためのものである。そして従来、これら混合器と通信用保安器とは、互いに別個のものとして、何ら関連なく別個に取り付けられていた。
　【０００５】
　【発明が解決しようとする課題】
　しかしながら従来の混合器や通信用保安器は、互いに別個に取り付ける必要があったため、広い設置スペースを有する点や、両装置をそれぞれに取り付けなければならず作業性が悪いという点が指摘されていた。
　【０００６】
　そこで本発明の目的は、上記従来の課題を解決するために、保安器に混合器の機能を組み込むことにより装置の小型化を図り、また設置作業性を改善することができる混合器機能付き通信用保安器を提供することである。
　【０００７】
　【課題を解決するための手段】
　上記課題を解決するため本発明の混合器機能付き通信用保安器は、第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とからな
り、上記第１のフィルタ回路は入力側接続端子と出力側接続端子を備えたケースに収められて第１のフィルタユニットを構成し、該第１のフィルタユニットは上記第１の入力側端子と上記出力側端子との間を繋ぐ線路に設けられた接続端子に挿入機構により着脱自在に接続され、上記第２のフィルタ回路は入力側接続端子と出力側接続端子を備えたケースに収められて第２のフィルタユニットを構成し、該第２のフィルタユニットは上記第２の入力側端子と上記出力側端子との間を繋ぐ線路に設けられた接続端子に挿入機構により着脱自在に接続され
　【０００８】
　また、請求項２記載の本発明は、請求項１記載の発明において、上記第１の入力側端子と出力側端子との間又は第２の入力側端子と出力側端子との間の少なくとも一方に、上記出力側端子からの電源供給を可能にする電流通過回路を備えたことを特徴として構成されている。
　【０００９】
　さらに、請求項３記載の本発明は、請求項１又は２記載の発明において、上記第２の入力側端子と上記出力側端子をコンデンサを介して接地したことを特徴として構成されている。
　【００１０】
　【発明の実施の形態】
　以下、本発明の混合器機能付き通信用保安器の一実施形態を図面に沿って説明する。なお、本実施形態は、本発明をＣＡＴＶ及び衛星放送の受信システムに用いられるＵＶ−ＢＳ混合器に適用したものであるが、本発明はこれ以外にも、ＵＨＦ−ＶＨＦ混合器、ＵＶ−ＣＳ混合器、電話、テレビあるいはパーソナルコンピュータ等の混合器として広く適用されてよいものである。
　【００１１】
　図１は本発明に係る混合器機能付き通信用保安器を含むテレビジョン放送受信システムの全体構成図を示している。図に示す受信システムは、１台のハイビジョン受信機に対し、放送衛星を使った放送（ＢＳ放送）及びＣＡＴＶ放送を配信するシステムである。
　本システムにおいて、ＣＡＴＶ分配器１５とＢＳアンテナ１６からの信号は、宅外に設置された本発明に係る混合器機能付き通信用保安器（以下、保安器１０）に入力される。保安器１０ではこれら信号が干渉し合わないように混合され、室内ケーブル１７を介して宅内に送られる。
　室内ケーブル１７からの混合された信号は、宅内に設置された分波器１８で、それぞれの信号に分波される。ＢＳ放送信号はＢＳ入力端子からハイビジョン受信機１９へ入力され、ＣＡＴＶ放送信号はＣＡＴＶホームターミナル２０でデコードされてからハイビジョン受信機１９へ入力される。なお、図中２１は、ＢＳコンバータであり、ＢＳアンテナ１６により受信された信号を、１２ＧＨｚ帯から１ＧＨｚ帯に変換し、保安器１０側へ出力するものである。
　なお、上記構成はハイビジョン以外の通常のテレビ受信機においても同様であり、本発明に係る混合器機能付き通信用保安器は、通常のテレビ受信機による受信システムにおいても用いられる。
　【００１２】
　図２は本発明に係る混合器機能付き通信用保安器の第１の実施形態に係る回路構成図である。図において保安器１０は、２つの入力端子１、２及び１つの出力端子３を有している。第１の入力端子１には、ＣＡＴＶ分配器１５からの同軸ケーブルが接続され、第２の入力端子２には、ＢＳアンテナ１６からの同軸ケーブルが接続される。
　【００１３】
　上記第１の入力端子１と出力端子３との間の線路１１には、第１のフィルタ４が設けられている。第１のフィルタ４は、ＣＡＴＶ放送の周波数帯域の信号のみを通過させるものである。この場合に、約７０ＭＨｚ〜７７０ＭＨｚの周波数帯域の信号のみを通過させるローパスフィルタによって、第１のフィルタ４を構成することができる。第１のフィルタ４と第１の入力端子１との間には、カップリングコンデンサＣ１が設けられている。カップリングコンデンサＣ１は、第１の入力端子１側からの高圧直流成分、すなわちノイズをカットし、歪みの少ない出力波形を形成するためのものである。
　【００１４】
　一方、第２の入力端子２と出力端子３との間の線路１２には、第２のフィルタ５が設けられている。第２のフィルタ５は、ＢＳ放送の周波数帯域の信号のみを通過させるもので、この場合に約１０３５ＭＨｚ〜１３３５ＭＨｚの周波数帯域の信号のみを通過させるハイパスフィルタによってこれを構成することができる。第２のフィルタ５と第２の入力端子との間には、信号中のノイズをカットするためにカップリングコンデンサＣ２が備えられている。
　【００１５】
　上記第１のフィルタ４と第２のフィルタ５の出力側は、カップリングコンデンサＣ３を介して出力端子３に接続されている。したがって、第１のフィルタ４を通過したＣＡＴＶ放送用の信号と、第２のフィルタ５を通過したＢＳ放送用の信号は、重畳されて出力端子３からハイビジョン受信機側に送られる。ここで、カップリングコンデンサＣ３は、出力端子３側からの高圧直流成分をカットするためのものである。
　【００１６】
　さらに上記保安器１０は、線路１１における第１の入力端子１とカップリングコンデンサＣ１との間に避雷回路６を有する。避雷回路６は、アレスタ６ａの一端を接地して構成され、落雷等のサージ電圧が保安器１０に加わった場合に該電圧を遮断し接地に放流して、出力端子３側に接続された受信機を保護するものである。本発明においては、上記アレスタ６ａと並列にチョークコイルを備えて避雷回路を構成してもよく、またアレスタ６ａに代えて、ヒューズを用いることもでき、要するにサージ電圧を遮断するよう機能するあらゆる手段を、避雷回路として設置することができる。
　【００１７】
　上記実施形態においては、上記避雷回路６をＣＡＴＶ信号を入力する第１の入力端子１側のみに設け、ＢＳ信号を入力する第２の入力端子２側には設けていない。これは、ＣＡＴＶ側は有線経路が長く、サージ電圧が該線路に乗り易いのに対して、ＢＳ側は有線経路が短く、サージ電圧が問題になることは少ないからである。もっとも、ＢＳ側、すなわち第２の入力端子２とカップリングコンデンサＣ２との間にも、上記避雷回路を設けて本発明を構成することもできる。
　【００１８】
　次に本発明の第２の実施形態に係る混合器機能付き通信用保安器について説明する。図３は第２の実施形態における混合器機能付き通信用保安器の回路構成図である。本実施形態における保安器は、先の実施形態における保安器に、さらに電流通過回路７を付加して構成されるものである。
　【００１９】
　電流通過回路７は、第２のフィルタ５を設けた線路１２と並列に、第２の入力端子２と出力端子３との間に設けられている。電流通過回路７は、ＢＳアンテナに接続されたＢＳコンバータ（図１における符号２１）に、出力端子３側から電源を供給するためのものである。本実施形態において、直列接続された２つのコイルＬ１、Ｌ２、及び２つのコンデンサＣ４，Ｃ５により電流通過回路７が構成され、出力端子３から１５Ｖの直流電圧が第２の入力端子側に与えられる。
　【００２０】
　本実施形態においては、避雷回路６を第１の入力端子１側だけでなく、第２の入力端子２側にも設けてある。この場合に、第２の入力端子側の避雷回路６は、上記電流通過回路７を通して与えられる直流１５Ｖの電圧で遮断されないように、その遮断電圧を設定する必要がある。本実施例では直流放電開始電圧９０Ｖ〜２３０Ｖのアレスタを使用した。また、上記実施形態においては第２の入力端子２側にのみ電源を供給可能なように電流通過回路７を接続してあるが、第１の入力端子１側に接続された機器に対しても出力端子３側からの給電が可能となるように本発明を構成することもできる。この場合は、上記電流通過回路７と同様のものを第１のフィルタ４の設けられた線路１１と並列して、第１の入力端子１と出力端子３との間に設ければよい。
　【００２１】
　次に、図４は本発明の第３の実施形態に係る混合器機能付き通信用保安器を示す回路構成図である。本実施形態における保安器は、第２の実施形態における保安器に、さらに絶縁回路８を付加して構成されたものである。絶縁回路８は、複数のバイパスコンデンサＣ６を並列に複数個設けてなるもので、第２の入力端子２、出力端子３及び電流通過回路７は、この絶縁回路８を介してアース側、すなわち装置筐体側に接地される。絶縁回路８を設けることにより、回路の筐体に対する絶縁が確実になり、ノイズ等の影響を受け難くなる。この場合に第２の入力端子２及び出力端子３のみを絶縁回路８によって絶縁すればよく、電流通過回路７は第２の実施形態の場合のように、そのコンデンサＣ４及びＣ５を直接接地させる構成とすることもできる。また、絶縁回路８を構成するバイパスコンデンサＣ６の個数は、図に示したものに限らず任意の個数とすることができる。バイパスコンデンサＣ６としては、ディスクタイプ及びリングタイプ（貫通形）のどちらのタイプを用いてもよい。
　【００２２】
　上記各実施形態において、第１のフィルタ４及び第２のフィルタ５は、その通過させるべき周波数帯域に応じてハイパスフィルタ、ローパスフィルタ及びバンドパスフィルタを選択的に用いることができる。また、これらのフィルタは、モールド封止されたディップタイプや、コイル及びコンデンサの部品組み合わせによるディスクリートタイプでもよく、さらにディスクリートタイプの場合に基板上パターンの幅やギャップにより、そのコイルの特性を得るようにしたものであってもよい。また、図５に示すように第１のフィルタ４と第２のフィルタ５の機能を一体化させた一つのフィルタ９を用いて、本発明に係る保安器を構成することもできる。
　【００２３】
　さらに、上記第１のフィルタ及び第２のフィルタをユニット化し、保安器に対して取り外し可能に構成することもできる。図６及び図７は、ユニット化された第１のフィルタ及び第２のフィルタを備えた本発明の保安器の実施形態を示す図である。第１のフィルタ（以下、第１フィルタユニット１３）及び第２のフィルタ（第２フィルタユニット１４）は、そのフィルタとしての機能を内部に備えたユニットであり、保安器１０における線路１１、１２に対し着脱・交換可能に接続される。
　【００２４】
　すなわち図７に示すように、第１フィルタユニット１３の下面には、接続端子１３ａ、１３ｂが備えられている。一方、線路１１上には上記接続端子１３ａ、１３ｂを挿入するための接続端子１１ａ、１１ｂが備えられている。第１フィルタユニット１３は、その接続端子１３ａ、１３ｂを接続端子１１ａ、１１ｂに挿入してこれらを接続することにより、保安器１０内に設置され使用可能となる。なお、第２フィルタユニット１４も上記第１フィルタユニット１３の場合と同様にして、線路１２上に着脱・交換可能に取り付けられる。この場合に、両フィルタユニット及びその接続端子の規格を共通化することが好ましく、これによって両フィルタユニットの取付け位置を入れ替えることも可能となる。
　【００２５】
　このようにフィルタをユニット化し、接続端子によって保安器側に対して着脱自在に構成することにより、該保安器が使用される受信システムに合わせて、上記フィルタを容易に交換することができ、また故障等の際の部品交換も容易である。なお、保安器上の線路に対する各フィルタユニットの取付け構造は、上記のものに限定されず、フィルタユニットを着脱可能にする既存の種々の取付け形態が採用されるものである。
　【００２６】
　以上、本発明混合器機能付き通信用保安器のいくつかの実施形態を図面に沿って説明したが、本発明は上記実施形態において示された保安器に限定されずに、さらに種々の形態及び構造の保安器に適用しうるものである。例えば、上記第２の実施形態において示された電流通過回路を備えた保安器及び第３の実施形態に示された絶縁回路を備えた保安器においても、第１及び第２のフィルタをユニット化して保安器内に実装する構成を取ることもできる。
　また、第３の実施形態においては、電流通過回路を備えた保安器に対して絶縁回路を設置しているが、電流通過回路を備えない保安器に対しても本絶縁回路を設置することができる。さらに本発明は、上記実施形態に示したテレビジョン受信システムにおける保安器に限らず、複数の受信信号を重畳して一つの出力信号として与える保安器に広く適用し得るものである。
　【００２７】
　【発明の効果】
　以上の如く本発明は、第１の入力側端子と出力側端子との間に設けられた第１のフィルタ回路と、第２の入力側端子と上記出力側端子との間に設けられた第２のフィルタ回路と、上記第１の入力側端子と上記出力側端子との間、又は上記第２の入力側端子と上記出力側端子との間の少なくとも一方に設けられた避雷回路とで保安器を構成することにより、混合器と保安器とを別途取り付ける必要がなくなり、設置作業が容易になると共に、混合器と保安器とを設置するスペースが確保できない環境においても、これを設置することができるという効果がある。
また、第１のフィルタ回路及び第２のフィルタ回路をそれぞれユニット化し挿入機構により取り外し可能としたことにより、該保安器が使用される受信システムに合わせて、該フィルタを容易に交換することができ、また故障等の際の部品交換も容易となるという効果がある。
　【００２８】
　また、電流通過回路を備えた混合器機能付き通信用保安器においては、上記効果に加えて、出力側端子から入力側端子への電源供給が可能となり、ＢＳコンバータ等の電源を必要とする機器を含む受信システムにおいて、本保安器を利用することができる。
　【００２９】
　さらに、第２の入力側端子と上記出力側端子をコンデンサを介して接地した混合器機能付き通信用保安器においては、さらに、回路の絶縁が確実になり、ノイズ等の影響を受け難くなるという効果がある。
【図面の簡単な説明】
　【図１】
　本発明に係る混合器機能付き通信用保安器を含むテレビジョン放送受信システムの全体構成図である。
　【図２】
　本発明に係る混合器機能付き通信用保安器の第１の実施形態に係る回路構成図である。
　【図３】
　電流通過回路を備えた第２の実施形態における混合器機能付き通信用保安器の回路構成図である。
　【図４】
　絶縁回路を備えた本発明の第３の実施形態に係る混合器機能付き通信用保安器を示す回路構成図である。
　【図５】
　一体化されたフィルタを用いた場合の第１の実施形態に対応する回路構成図である。
　【図６】
　ユニット化された第１のフィルタ及び第２のフィルタを備えた本発明の実施形態を示す回路構成図である。
　【図７】
　フィルタユニットと接続端子との接続構造を示す分解斜視図である。
　【符号の説明】
　１　　第１の入力端子
　２　　第２の入力端子
　３　　出力端子
　４　　第１のフィルタ
　５　　第２のフィルタ
　６　　避雷回路
　６ａ　アレスタ
　７　　電流通過回路
　８　　絶縁回路
　９　　フィルタ
　１０　　混合器機能付き通信用保安器
　１１　　第１の入力側線路
　１１ａ、１１ｂ　接続端子
　１２　　第２の入力側線路
　１３　　第１フィルタユニット
　１３ａ、１３ｂ　接続端子
　１４　　第２フィルタユニット
　１５　　ＣＡＴＶ幹線
　１６　　ＢＳアンテナ
　１７　　同軸ケーブル
　１８　　分波器
　１９　　ハイビジョン受信機
　２０　　ＣＡＴＶホームターミナル
　２１　　ＢＳコンバータ